(57)【要約】【課題】汚水等の飛散を防止し、便器洗浄を良好に行うことができる水洗式便器を提供する。【解決手段】水洗式便器は、便鉢部１１及び便鉢部１１の下流側に連続した排水路１２を有し、便鉢部１１と排水路１２とによって排水トラップ１３を形成した便器本体１０と、便器本体１０に供給する洗浄水を貯留する給水タンク２０と、便器本体１０と給水タンク２０とを連通した給水路３０とを備えており、給水タンク２０に貯留した洗浄水を給水路３０を介して便器本体１０に供給することによって便器洗浄を実行する。この水洗式便器は、給水路３０に設けられ、給水タンク２０に貯留した洗浄水を便器本体１０に送水する給水ポンプ４０と、排水トラップ１３の封水部に洗浄水が滞留している状態で、洗浄水内に全体が水没して配置され、汚物を撹拌及び／又は粉砕する回転体５１を有する回転部材５０と、給水ポンプ４０及び回転部材５０を駆動する駆動部６０とを備えている。【選択図】図１
2015151694.tif 000002
【特許請求の範囲】
【請求項１】
便鉢部及びこの便鉢部の下流側に連続した排水路を有し、前記便鉢部と前記排水路とによって排水トラップを形成した便器本体と、
この便器本体に供給する洗浄水を貯留する給水タンクと、
前記便器本体と前記給水タンクとを連通した給水路とを備えており、
前記給水タンクに貯留した洗浄水を前記給水路を介して前記便器本体に供給することによって便器洗浄を実行する水洗式便器であって、
前記給水路に設けられ、前記給水タンクに貯留した洗浄水を前記便器本体に送水する給水ポンプと、
前記排水トラップの封水部に洗浄水が滞留している状態で、この洗浄水内に全体が水没して配置され、汚物を撹拌及び／又は粉砕する回転体を有する回転部材と、
前記給水ポンプ及び前記回転部材を駆動する駆動部とを備えていることを特徴とする水洗式便器。
【請求項２】
前記駆動部は前記回転部材に対する駆動力の伝達と遮断とを切り替える第１伝達部を有していることを特徴とする請求項１記載の水洗式便器。
【請求項３】
前記駆動部は前記給水ポンプに対する駆動力の伝達と遮断とを切り替える第２伝達部を有していることを特徴とする請求項１又は２記載の水洗式便器。
【請求項４】
前記回転体は前記排水トラップのディップよりも下流側の前記封水部内に配置されていることを特徴とする請求項１乃至３のいずれか１項記載の水洗式便器。
【請求項５】
前記回転部材は、前記排水トラップの外側から非接触で前記回転体を回転させる回転伝達部を有していることを特徴とする請求項１乃至４のいずれか１項記載の水洗式便器。
【発明の詳細な説明】
【技術分野】
【０００１】
本発明は水洗式便器に関するものである。
【背景技術】
【０００２】
特許文献１は従来の便器を開示している。この便器は、船舶用であり、便器本体、給水ポンプ、粉砕インペラー、排出ポンプ、及びモーターを備えている。便器本体は便鉢部及び便鉢部の下流側に連続した排水通路を有している。給水ポンプは給水インペラーを有している。この便器は、給水ポンプを駆動させる（給水インペラーが回転する）ことによって、船外から海水をくみ上げて便器本体に供給することができる。粉砕インペラーは排水通路に配置されている。この便器は粉砕インペラーを回転させることによって汚物を粉砕することができる。排出ポンプは排出インペラーを有している。この便器は、排出ポンプを駆動させる（排出インペラーが回転する）ことによって、便鉢部の表面を洗浄して排水通路に流下した海水と共に、粉砕インペラーが粉砕した汚物を船外へ排出することができる。モーターは、回転軸に給水インペラー、粉砕インペラー、及び排出インペラーが装着されている。このため、この便器は、一つのモーターで給水ポンプ、粉砕インペラー、及び排出ポンプを駆動することができる。
【０００３】
この便器は、モーターの操作スイッチをオンすると、給水インペラー、粉砕インペラー、及び排出インペラーが同時に回転し始める。つまり、この便器は、モーターの操作スイッチをオンすると、便器本体に海水が供給されて便鉢部の表面に付着した汚物を排水通路に洗い流し、排水通路内の汚物を粉砕して海水に混合して汚水とし、船外へ排出する便器洗浄を実行することができる。
【先行技術文献】
【特許文献】
【０００４】
【特許文献１】特開平１０−３１６０８６号公報
【発明の概要】
【発明が解決しようとする課題】
【０００５】
しかし、特許文献１の便器は、モーターの操作スイッチをオンすると、当初から粉砕インペラーが回転を開始する。このため、便器洗浄の初期段階において、粉砕インペラーが露出しながら汚物を粉砕し、そこに便鉢部の表面を流下した海水が流入するため、汚水が便鉢部の上部開口から便器本体外へ飛散するおそれがある。また、モーターの操作スイッチをオンすると、当初から排出インペラーも回転を開始する。このため、便器洗浄の初期段階において、粉砕インペラーによる粉砕が不充分な汚物が排出ポンプによって排出されるおそれがある。この場合、汚物が排出経路に詰まり、汚物の排出が不充分になるおそれがある。
【０００６】
本発明は、上記従来の実情に鑑みてなされたものであって、汚水等の飛散を防止し、便器洗浄を良好に行うことができる水洗式便器を提供することを解決すべき課題としている。
【課題を解決するための手段】
【０００７】
本発明の水洗式便器は、便鉢部及びこの便鉢部の下流側に連続した排水路を有し、前記便鉢部と前記排水路とによって排水トラップを形成した便器本体と、
この便器本体に供給する洗浄水を貯留する給水タンクと、
前記便器本体と前記給水タンクとを連通した給水路とを備えており、
前記給水タンクに貯留した洗浄水を前記給水路を介して前記便器本体に供給することによって便器洗浄を実行する水洗式便器であって、
前記給水路に設けられ、前記給水タンクに貯留した洗浄水を前記便器本体に送水する給水ポンプと、
前記排水トラップの封水部に洗浄水が滞留している状態で、この洗浄水内に全体が水没して配置され、汚物を撹拌及び／又は粉砕する回転体を有する回転部材と、
前記給水ポンプ及び前記回転部材を駆動する駆動部とを備えていることを特徴とする。
【０００８】
この水洗式便器は、排水トラップの封水部に滞留した洗浄水内に回転体の全体が水没するため、回転体が回転して汚物を撹拌及び／又は粉砕する際に汚水の飛散を防止することができる。また、この水洗式便器は、汚物を撹拌及び／又は粉砕するため、便器洗浄の際に便器本体に供給される洗浄水が少なくても、便器本体外に汚物を容易に排出することができ、排水路等の下流経路における詰まりを防止することができる。
【０００９】
したがって、本発明の水洗式便器は、汚水等の飛散を防止し、便器洗浄を良好に行うことができる。
【図面の簡単な説明】
【００１０】
【図１】実施例１の水洗式便器であって、便器洗浄の待機状態を示す概略図である。
【図２】実施例１の水洗式便器であって、前処理工程の実行状態を示す概略図である。
【図３】実施例１の水洗式便器であって、汚物排出工程の実行状態を示す概略図である。
【図４】実施例１の水洗式便器であって、覆水工程の実行状態を示す概略図である。
【図５】実施例２の水洗式便器であって、便器洗浄の待機状態を示す概略図である。
【図６】実施例２の水洗式便器であって、前洗浄工程の実行状態を示す概略図である。
【図７】実施例２の水洗式便器であって、前処理工程の実行状態を示す概略図である。
【図８】実施例２の水洗式便器であって、汚物排出工程の実行状態を示す概略図である。
【図９】実施例２の水洗式便器であって、覆水工程の実行状態を示す概略図である。
【図１０】実施例３の便器本体及び回転部材を示す概略図である。
【発明を実施するための形態】
【００１１】
本発明における好ましい実施の形態を説明する。
【００１２】
本発明の水洗式便器において、前記駆動部は前記回転部材に対する駆動力の伝達と遮断とを切り替える第１伝達部を有し得る。この場合、この水洗式便器は回転体を設定したタイミングで回転させることができる。つまり、便器洗浄において、汚物を撹拌及び／又は粉砕した後は回転体を回転させる必要性が乏しいため、第１伝達部は回転部材に対する駆動力を遮断して回転部材の回転を停止させる。これによって、駆動部の負荷を軽減することができる。特に、便器洗浄の終期において封水部に洗浄水を滞留させて覆水する際、回転体を回転させる必要がない。また、便器洗浄中に便鉢部内の水位が低下して回転体が露出する前に、第１伝達部が回転部材に対する駆動力を遮断して回転体の回転を停止し、汚水が飛散することを防止することができる。
【００１３】
本発明の水洗式便器において、前記駆動部は前記給水ポンプに対する駆動力の伝達と遮断とを切り替える第２伝達部を有し得る。この場合、給水ポンプを設定したタイミングで駆動させることができる。つまり、便器洗浄の初期において、第２伝達部は給水ポンプに対する駆動力を遮断して給水ポンプを駆動させずに回転体のみを回転させて汚物を撹拌及び／又は粉砕する前処理工程を実行させることができる。そして、前処理工程を実行した後、第２伝達部は給水ポンプに対して駆動力を伝達し、給水ポンプを駆動して、便器本体に洗浄水を供給すれば、汚物が撹拌及び／又は粉砕されているため、少ない洗浄水で便器本体外へ汚物を排出することができる。
【００１４】
本発明の水洗式便器において、前記回転体は前記排水トラップのディップよりも下流側の前記封水部内に配置され得る。この場合、回転体を使用者が視認し難く、水洗式便器をすっきりとしたデザインにすることができる。
【００１５】
本発明の水洗式便器において、前記回転部材は、前記排水トラップの外側から非接触で前記回転体を回転させる回転伝達部を有し得る。この場合、この水洗式便器は回転部材を備えることによる漏水を防止することができる。また、この水洗式便器は、回転体の取り外しが容易になり、回転体のメンテナンスを容易に行うことができる。
【００１６】
次に、本発明の水洗式便器を具体化した実施例１〜３について、図面を参照しつつ説明する。
【００１７】
＜実施例１＞
実施例１の水洗式便器は、図１〜図４に示すように、便器本体１０、給水タンク２０、給水路３０、給水ポンプ４０、回転部材５０、及び駆動部６０を備えている。便器本体１０は、便鉢部１１と、この便鉢部１１の下流側に連続した排水路１２とを有している。排水路１２は、便鉢部１１の下部から便鉢部１１の外側面に沿って、斜め上方に上昇した上昇流路１２Ａと、上昇流路１２Ａの上端に連続して、鉛直下方に延びた下降流路１２Ｂとを有している。便器本体１０は便鉢部１１と排水路１２とによって排水トラップ１３を形成している。また、便器本体１０は便鉢部１１の下部と上昇流路１２Ａとによって封水部１４を形成している。上昇流路１２Ａの便鉢部１１側の下端が排水トラップ１３のディップ１５である。
【００１８】
給水タンク２０は便器本体１０に供給する洗浄水を貯留する。給水タンク２０はボールタップ２１を有している。ボールタップ２１は、給水タンク２０内の洗浄水が設定水位になると、給水源に連通した給水管２３の下流端に設けられた開閉弁２２を開閉する。これによって、給水タンク２０は満水状態に洗浄水を貯留することができる。
【００１９】
給水路３０は上流端を給水タンク２０の下部に連通している。また、給水路３０は下流端に開口したリム吐水口３１を便鉢部１１の上部周縁に配置している。リム吐水口３１から流出した洗浄水は、便鉢部１１の表面に沿って流下し、便鉢部１１の上方から見て便鉢部１１内を一方向に旋回する旋回流を形成する。このように、給水路３０は便器本体１０と給水タンク２０とを連通している。
【００２０】
給水ポンプ４０は、給水路３０の上流側に設けられ、給水タンク２０の下部近傍に配置されている。給水ポンプ４０は、ポンプ本体４１、ポンプ本体４１内に配置された図示しないインペラ、及び第１回転軸４２を有している。第１回転軸４２は、一端がインペラの回転の中心に連結し、他端がポンプ本体４１から突出している。インペラは駆動部６０の後述するモーター６１の回転が駆動力として第１回転軸４２に伝達されることによって回転する。水洗式便器は、インペラを回転させて給水ポンプ４０を駆動させることによって、洗浄水を給水路３０の上流側から下流側に送水することができる。つまり、給水ポンプ４０は給水タンク２０に貯留した洗浄水を便器本体１０に送水することができる。
【００２１】
回転部材５０は、回転体である羽根部材５１と、一方の端部を羽根部材５１の回転の中心に連結した第２回転軸５２とを有している。羽根部材５１は上昇流路１２Ａの上流側の下側内面に沿って回転自在に配置されている。第２回転軸５２は上昇流路１２Ａを形成する便器本体１０の外周壁を水密状に貫通している。羽根部材５１は、排水トラップ１３の封水部１４に洗浄水が滞留している状態で、この洗浄水内に全体が水没している。また、羽根部材５１は、排水トラップ１３のディップ１５よりも下流側（ディップ１５から垂下した仮想線よりも下流側）の封水部１４内に配置されている。このため、羽根部材５１を使用者が視認し難く、水洗式便器をすっきりとしたデザインにすることができる。水洗式便器は羽根部材５１を回転させると封水部１４の洗浄水内で汚物を撹拌及び粉砕することができる。第２回転軸５２は、便器本体１０の外周壁の外側の中間部に自在継手５３が取り付けられており、他端側が後述するモーター６１の第３回転軸６２と同一直線上に配置されている。
【００２２】
駆動部６０は、モーター６１、モーター６１の軸である第３回転軸６２、第１伝達部６３、及び第２伝達部６４を有している。第３回転軸６２はモーター６１の両端から反対方向に突出して延びている。第１伝達部６３は、回転部材５０の第２回転軸５２の他方の端部と第３回転軸６２の一方の端部との接続を結合したり、分離したりすることで、モーター６１の回転力（駆動力）の伝達と遮断とを切り替えることができるクラッチである。第２伝達部６４は、給水ポンプ４０の第１回転軸４２の一方の端部と第３回転軸６２の他方の端部との接続を結合したり、分離したりすることで、モーター６１の回転力（駆動力）の伝達と遮断とを切り替えることができるクラッチである。駆動部６０は、便鉢部１１の下、又は便器本体１０の後方に配置される。
【００２３】
このような構成を有する水洗式便器は次に説明するように便器洗浄を実行する。
【００２４】
便器洗浄の待機状態は、図１に示すように、便器本体１０の排水トラップ１３の封水部１４に洗浄水が滞留しており、給水タンク２０が満水状態になっている。そして、第１伝達部６３及び第２伝達部６４の両方ともモーター６１の回転力を遮断する状態になっている。
【００２５】
用便後等、水洗式便器の使用者等が図示しない便器洗浄スイッチをオンし、便器洗浄を開始すると、図２に示すように、先ず、第１伝達部６３がモーター６１の回転力を伝達するように切り替えられ、駆動部６０のモーター６１が回転する。この状況において、第２伝達部６４はモーター６１の回転力を遮断した状態のままである。これによって、羽根部材５１が回転し、汚物を撹拌及び粉砕する前処理工程が実行される。この際、排水トラップ１３の封水部１４に滞留した洗浄水内に羽根部材５１の全体が水没しているため、羽根部材５１が回転して汚物を撹拌及び粉砕しても、汚水の飛散を防止することができる。
【００２６】
前処理工程を実行した後、図３に示すように、第１伝達部６３がモーター６１の回転力を遮断するように切り替えられ、羽根部材５１の回転が停止するとともに、第２伝達部６４がモーター６１の回転力を伝達するように切り替えられ、給水ポンプ４０が駆動して、給水タンク２０に貯留した洗浄水が便器本体１０に送水される。このようにして、汚物を便器本体１０外へ排出する汚物排出工程を実行する。この際、汚物が撹拌及び粉砕されているため、少ない洗浄水で便器本体１０外へ汚物を排出することができる。特に、前処理工程を実行し、汚物が確実に撹拌及び粉砕された後に、洗浄水を便器本体１０に供給するため、少ない洗浄水で便器本体１０外へ汚物を排出することができ、排水路１２等の下流経路における詰まりを防止することができる。
【００２７】
したがって、実施例１の水洗式便器は、汚水等の飛散を防止し、便器洗浄を良好に行うことができる。
【００２８】
また、前処理工程の実行によって汚物を撹拌及び粉砕した後は羽根部材５１を回転させる必要性が乏しいため、第１伝達部６３は回転部材５０に対する駆動力を遮断して回転部材５０の回転を停止させる。これによって、駆動部６０（モーター６１）の負荷を軽減することができる。
【００２９】
汚物排出工程を実行した後（第２伝達部６４がモーター６１の回転力を伝達するように切り替えられて設定時間を経過した後）、モーター６１の回転数を減少させ、図４に示すように、封水部１４に洗浄水を滞留させる覆水工程を実行する。この便器洗浄の終期に実行される覆水工程においても、回転体を回転させる必要がないため、第１伝達部６３は回転部材５０に対する駆動力を遮断した状態のままである。
【００３０】
覆水工程が完了すると、駆動部６０のモーター６１が停止すると共に、第２伝達部６４がモーター６１の回転力を遮断するように切り替えられる。そして、給水タンク２０内に洗浄水が流入して、設定水位になると、ボールタップ２１の開閉弁２２が閉弁し、図１に示すように、便器洗浄の待機状態に復帰する。
【００３１】
＜実施例２＞
実施例２の水洗式便器は、図５〜図９に示すように、便器本体１１０、給水路１３０、及び回転部材１５０の形態が実施例１と相違する。他の構成は実施例１と同様であり、実施例１と同様な構成は、同一の符号を付し、詳細な説明を省略する。
【００３２】
実施例２の便器本体１１０は、便鉢部１１と排水路１２の上昇流路１２Ａとが連通する下端貯留部１１１を有している。便器本体１１０は、下端貯留部１１１の前側壁に洗浄水を吐水するジェット口１３１を貫設し、ジェット口１３１に対向する位置に羽根部材１５１を配置している。水洗式便器は給水ポンプ４０より下流側の給水路１３０Ａに入水ポート１３３Ａを連通した三方弁１３３を有している。三方弁１３３は第１吐水ポート１３３Ｂにジェット給水路１３０Ｂが連通している。ジェット給水路１３０Ｂは下流端部にジェット口１３１が連通している。また、三方弁１３３は第２吐水ポート１３３Ｃにリム給水路１３０Ｃが連通している。リム給水路１３０Ｃは下流端部にリム吐水口１３２が連通している。
【００３３】
回転部材１５０は、回転体である羽根部材１５１と、一方の端部を羽根部材１５１の回転の中心に連結した第２回転軸１５２とを有している。第２回転軸１５２は便器本体１１０の下端貯留部１１１の後側壁を水密状に貫通している。羽根部材１５１は、排水トラップ１３の封水部１４に洗浄水が滞留している状態で、この洗浄水内に全体が水没している。また、羽根部材１５１は、排水トラップ１３のディップ１５よりも下流側（ディップ１５から垂下した仮想線よりも下流側）の封水部１４内に配置されている。このため、羽根部材１５１を使用者が視認し難く、水洗式便器をすっきりとしたデザインにすることができる。水洗式便器は羽根部材１５１は回転させると封水部１４の洗浄水内で汚物を撹拌及び粉砕することができる。第２回転軸１５２はモーター６１の第３回転軸６２と同一直線上に配置されている。
【００３４】
このような構成を有する水洗式便器は次に説明するように便器洗浄を実行する。
【００３５】
便器洗浄の待機状態は、図５に示すように、便器本体１１０の排水トラップ１３の封水部１４に洗浄水が滞留しており、給水タンク２０が満水状態になっている。そして、第１伝達部６３及び第２伝達部６４の両方ともモーター６１の回転力（駆動力）を遮断する状態になっている。
【００３６】
用便後等、水洗式便器の使用者等が図示しない便器洗浄スイッチをオンし、便器洗浄を開始すると、図６に示すように、先ず、第２伝達部６４がモーター６１の回転力を伝達するように切り替えられ、駆動部６０のモーター６１が回転する。この状況において、第１伝達部６３はモーター６１の回転力を遮断した状態のままである。また、給水路１３０に設けられた三方弁１３３は入水ポート１３３Ａと第２吐水ポート１３３Ｃとが連通するように切り替えられる。これによって、給水ポンプ４０が駆動して、給水タンク２０に貯留した洗浄水が、給水路１３０Ａ、三方弁１３３、及びリム給水路１３０Ｃを通過して、リム吐水口１３２から便鉢部１１の表面に沿って流下し、便鉢部１１の上方から見て一方向に旋回する旋回流を形成する。このように、水洗式便器は便鉢部１１の表面を洗浄する前洗浄工程を実行する。これによって、便鉢部１１の表面に付着していた汚物が排水トラップ１３の封水部１４内に流れ落ちる。
【００３７】
前洗浄工程を実行した後、図７に示すように、第１伝達部６３がモーター６１の回転力を伝達するように切り替えられ、第２伝達部６４がモーター６１の回転力を遮断するように切り替えられる。これによって、便器本体１１０に洗浄水が供給されていない状態（給水ポンプ４０が駆動していない状態）で、羽根部材１５１が回転し、汚物を撹拌及び粉砕する前処理工程が実行される。この際、排水トラップ１３の封水部１４に滞留した洗浄水内に羽根部材１５１の全体が水没しているため、羽根部材１５１が回転して汚物を撹拌及び粉砕しても、汚水の飛散を防止することができる。
【００３８】
前処理工程を実行した後、図８に示すように、第２伝達部６４がモーター６１の回転力を伝達するように切り替えられる。また、三方弁１３３は入水ポート１３３Ａと、第１吐水ポート１３３Ｂ及び第２吐水ポート１３３Ｃとが連通するように切り替えられる。これによって、羽根部材１５１が回転しつつ、リム吐水口１３２及びジェット吐水口１３１から給水タンク２０に貯留した洗浄水が便器本体１１０に送水され、汚物を排出する汚物排出工程を実行する。この際、汚物が撹拌及び粉砕されているため、少ない洗浄水で便器本体１１０外へ汚物を排出することができる。特に、前処理工程を実行し、汚物が確実に撹拌及び粉砕された後に、洗浄水を供給するようにしたため、少ない洗浄水で便器本体１１０外へ汚物を排出することができ、排水路１２等の下流経路における詰まりを防止することができる。
【００３９】
したがって、実施例２の水洗式便器も、汚水等の飛散を防止し、便器洗浄を良好に行うことができる。
【００４０】
そして、汚物が便器本体１１０外に排出されると共に、便鉢部１１内の水位が減少し、羽根部材１５１が露出する前に、第１伝達部６３がモーター６１の回転力を遮断して羽根部材１５１の回転を停止する。これによって、水洗式便器は汚水が飛散することを防止することができる。
【００４１】
羽根部材１５１の回転を停止すると共に、モーター６１の回転数を減少させ、三方弁１３３を入水ポート１３３Ａと第２吐水ポート１３３Ｃとが連通するように切り替える。すると、図９に示すように、リム吐水口１３２から便鉢部１１に洗浄水を供給し、封水部１４に洗浄水を滞留させて覆水工程を実行する。
【００４２】
覆水工程が完了すると、駆動部６０のモーター６１が停止すると共に、第２伝達部６４がモーター６１の回転力を遮断するように切り替えられる。そして、給水タンク２０内に洗浄水が流入して、設定水位になると、ボールタップ２１の開閉弁２２が閉弁し、図５に示すように、便器洗浄の待機状態に復帰する。
【００４３】
＜実施例３＞
実施例３の水洗式便器は、図１０に示すように、便器本体２１０及び回転部材２５０の形態が実施例１と相違する。他の構成は実施例１と同様である。実施例と同様な構成は、同一の符号を付し、詳細は説明を省略する。
【００４４】
この回転部材２５０は羽根部材２５１を排水トラップ１３の外側から非接触で回転させることができる回転伝達部２５２を有している。回転伝達部２５２は円盤状のマグネットカップリングによって構成されている。一方のマグネット（第１マグネット）２５２Ａは羽根側の第２回転軸５２Ａを中心に連結している。羽根側の第２回転軸５２Ａは羽根部材２５１の回転の中心に連結している。第１マグネット２５２Ａは上昇流路１２Ａの上流側の下側内面を凹設した凹部１６に収納されている。羽根部材２５１は、上昇流路１２Ａのディップ１５よりも下流側の封水部１４内であって、封水部１４に洗浄水が滞留している状態で洗浄水内に全体が水没した所定の位置で回転自在に配置されている。このため、羽根部材２５１を使用者が視認し難く、水洗式便器をすっきりとしたデザインにすることができる。
【００４５】
他方のマグネット（第２マグネット）２５２Ｂは上昇流路１２Ａに設けられた凹部１６の外面に当接するように配置されている。第２マグネット２５２Ｂは第１伝達部６３側の第２回転軸５２Ｂを中心に連結している。第１伝達部６３側の第２回転軸５２Ｂは中間部に自在継手２５３が取り付けられている。
【００４６】
第１伝達部６３がモーター６１の回転力（駆動力）を伝達するように切り替えられ、モーター６１の回転力が第２マグネット２５２Ｂに伝達されて第２マグネット２５２Ｂが回転すると、磁力によって第１マグネット２５２Ａも回転し、羽根部材２５１が上昇流路１２Ａの上流側の内面に沿って回転する。羽根部材２５１は回転すると封水部１４の洗浄水内で汚物を撹拌及び粉砕することができる。
【００４７】
このような構成を有する水洗式便器は実施例１と同様に便器洗浄を実行することができ、排水トラップ１３の封水部１４に滞留した洗浄水内に羽根部材２５１の全体が水没しているため、羽根部材２５１が回転して汚物を撹拌及び粉砕する際に汚水の飛散を防止することができる。また、この水洗式便器は、汚物を撹拌及び粉砕するため、便器洗浄の際に便器本体２１０に供給される洗浄水が少なくても、便器本体２１０外に汚物を容易に排出することができ、排水路１２等の下流経路における詰まりを防止することができる。
【００４８】
したがって、実施例３の水洗式便器も、汚水等の飛散を防止し、便器洗浄を良好に行うことができる。
【００４９】
また、この水洗式便器は排水トラップ１３の外側から非接触で羽根部材２５１を回転させるマグネットカップリング（回転伝達部）２５２を有しているため、回転部材２５０を備えることによる漏水を防止することができる。また、この水洗式便器は、羽根部材２５１の取り外しが容易になり、羽根部材２５１のメンテナンスを容易に行うことができる。
【００５０】
本発明は上記記述及び図面によって説明した実施例１〜３に限定されるものではなく、例えば次のような実施例も本発明の技術的範囲に含まれる。
（１）実施例１〜３では、駆動部が第１伝達部及び第２伝達部を有していたが、第１伝達部と第２伝達部の一方、又は両方とも有さず、モーターの第３回転軸に給水ポンプの第１回転軸及び／又は回転部材の第２回転軸を直接的に連結してもよい。
（２）実施例１〜３では、羽根部材をディップよりも下流側の封水部内に配置したが、ディップよりも上流側の封水部内に配置してもよい。
（３）実施例２において、回転部材が排水トラップの外側から非接触で回転体を回転させる回転伝達部を有していてもよい。
（４）実施例１〜３では、羽根部材が汚物を撹拌及び粉砕したが、羽根部材は汚物を撹拌又は粉砕するどちらか一方の機能を有していればよい。
（５）回転体の形状は、実施例１〜３で示した羽根部材の形状の他、船のスクリュー形状、ポンプの羽根車のような形状、タービンの羽根車のような形状、複数の棒部材が一定角度で放射方向に延びている形状等、汚物を撹拌及び／又は粉砕することができる形状であればよい。船のスクリュー形状は、強い水流が発生して汚物を撹拌し、汚物を破砕する効果が最も得られると考える。
（６）実施例１及び３において、汚物を撹拌及び粉砕する前処理工程を実行する前に便器本体に洗浄水を供給し、便鉢面を洗浄する前洗浄工程を実行してもよい。
（７）実施例１及び３では、汚物排出工程において羽根部材の回転を停止したが、汚物排出工程において羽根部材を回転させてもよい。
（８）実施例１〜３において、前処理工程を実行せずに羽根部材を回転させながら汚物排出工程を実行してもよい。
【符号の説明】
【００５１】
１０、１１０、２１０…便器本体
１１…便鉢部
１２…排水路
１３…排水トラップ
１４…封水部
１５…ディップ
２０…給水タンク
３０、１３０（１３０Ａ、１３０Ｂ、１３０Ｃ）…給水路
４０…給水ポンプ
５０、１５０、２５０…回転部材
５１、１５１、２５１…羽根部材（回転体）
６０…駆動部
６３…第１伝達部
６４…第２伝達部
２５２…回転伝達部
【図１】
2015151694.tif 000003
【図２】
2015151694.tif 000004
【図３】
2015151694.tif 000005
【図４】
2015151694.tif 000006
【図５】
2015151694.tif 000007
【図６】
2015151694.tif 000008
【図７】
2015151694.tif 000009
【図８】
2015151694.tif 000010
【図９】
2015151694.tif 000011
【図１０】
2015151694.tif 000012